(57)【要約】  電力コネクタは空洞（３１０）と空洞内に延出したタブ（３１２）とを有するホルダ（３０２）を含む。空洞内には電力コンタクト（２００）が積層状に収容されている。電力コンタクト（２００）は第１の端部（２０６）と第２の端部（２０８）を有する。電力コンタクトは、第１の端部に、内部に電力端子を収容するように構成された第１のレセプタクル部分と、第２の端部に、内部に電力端子を収容するように構成された第２のレセプタクル部分とを有する。電力コンタクトは開口を有し、タブが開口内に収容されて空洞内でコンタクトを位置決めする。【選択図】図３
2014503961.tif 000002
【特許請求の範囲】
【請求項１】
空洞（３１０）と前記空洞（３１０）内に延出するタブ（３１２）を有するホルダ（３０２）と、
前記空洞（３１０）内に積層状に収容された電力コンタクト（２００）と、を備え、前記電力コンタクト（２００）は第１の端部（２０６）と第２の端部（２０８）を有し、前記電力コンタクト（２００）は前記第１の端部（２０６）の内部に電力端子（１１０）を収容するように構成された第１のレセプタクル部分（２１２）を有し、前記電力コンタクト（２００）は前記第２の端部（２０８）に内部に電力端子（１２０）を収容するように構成された第２のレセプタクル部分（２２２）を有し、前記各電力コンタクト（２００）が開口（２４０）を有し、そこで、前記タブ（３１２）が前記開口（２４０）内に収容されて前記空洞（３１０）内に前記コンタクト（２００）を位置決めすることを特徴とする電力コネクタ（１００）。
【請求項２】
前記電力コンタクト（２００）が空洞（３１０）内を可動であり、電力コンタクト（２２０）が前記タブ（３１２）を中心に枢動することを特徴とする請求項１の電力コネクタ（１００）。
【請求項３】
前記第１のレセプタクル部分（２１２）が内部に前記電力端子（１１０）を収容するように構成された叉状接触部を含み、第２のレセプタクル部分（２２２）が内部に前記電力端子（１２０）を収容するように構成された叉状接触部を含むことを特徴とする請求項１の電力コネクタ（１００）。
【請求項４】
電力コンタクト（２００）が電力コンタクト（２００）の、前記第１の端部（２０６）と前記第２の端部（２０８）との間に中間部分（２０４）を含み、前記第１のレセプタクル部分（２１２）が前記中間部分（２０４）から延出する上部アーム（２１４）と前記中間部分（２０４）から延出する下部アーム（２１６）とを含み、内部に前記電力端子（１１０）を収容する前記第１のレセプタクル部分（２１２）の前記上部アーム（２１４）と前記下部アーム（２１６）との間にギャップ（２１８）が形成され、第２のレセプタクル部分（２２２）が中間部分（２０４）から延出する上部アーム（２２４）と中間部分（２０４）から延出する下部アーム（２２６）を含み、内部に前記電力端子（１２０）を収容する前記第２のレセプタクル部分（２２２）の上部アーム（２２４）と下部アーム（２２６）との間にギャップ（２２８）が形成されていることを特徴とする請求項１の電力コネクタ（１００）。
【請求項５】
前記電力コンタクト（２００）が上部アーム（２１４、２２４）と、下部アーム（２１６、２２６）と、前記第１の端部（２０６）と前記第２の端部（２０８）との間の中間部分（２０４）とを含み、前記電力コンタクト（２００）において前記上部アーム（２１４、２２４）と、前記下部アーム（２１６、２２６）と、前記第１のレセプタクル部分（２１２）と、前記第２のレセプタクル部分（２２２）と、前記中間部分（２０４）とは、単一のワンピース構造であることを特徴とする請求項１の電力コネクタ（１００）。
【請求項６】
前記第１のレセプタクル部分（２１２）が前記電力端子（１１０）の両面に対して付勢されるように構成された対向アーム（２１４、２１６）を含み、前記第２のレセプタクル部分（２２２）が前記電力端子（１２０）の両面に対して付勢されるように構成された対向アーム（２２４、２２６）を含むことを特徴とする請求項１の電力コネクタ（１００）。
【請求項７】
前記第１のレセプタクル部分（２１２）が互いに同一の前記電力端子（１１０）を収容するように互いに位置合わせされ、前記第２のレセプタクル部分（２２２）が互いに同一の前記電力端子（１２０）を収容するように互いに位置合わせされるように、電力コンタクト（２００）が積層されたことを特徴とする請求項１の電力コネクタ（１００）。
【請求項８】
少なくとも数個の前記第１の端部（２０６）が他の前記第１の端部（２０６）からオフセットしているように、且つ少なくとも数個の前記第２の端部（２０８）が他の前記第２の端部（２０８）からオフセットしているように、電力コンタクト（２００）がジグザグ状に配列されたことを特徴とする請求項１の電力コネクタ（１００）。
【請求項９】
前記開口（２４０）が対応する前記電力コンタクト（２００）の中心線からオフセットし、隣接する前記電力コンタクト（２００）の前記第１の端部（２０６）が互いにジグザグ状に配列されるように且つ隣接する前記電力コンタクト（２００）の前記第２の端部（２０８）が互いにジグザグ状に配列されるように隣り合う前記電力コンタクト（２００）が向きを反転させて前記空洞（３１０）に収容されていることを特徴とする請求項１の電力コネクタ（１００）。
【請求項１０】
前記タブ（３１２）が円筒形であり、前記電力コンタクト（２００）が前記第１の端部（２０６）と前記第２の端部（２０８）との間を長手軸（２１０）に沿って延出し、前記開口（２４０）が前記長手軸（２１０）を横断する方向に細長くなっており、前記電力コンタクト（２００）が、前記タブ（３１２）上に装着され、前記長手軸（２１０）を横断する方向に前記タブ（３１２）上を浮動することができることを特徴とする請求項１の電力コネクタ（１００）。
【発明の詳細な説明】
【技術分野】
【０００１】
本書の主題は広く電気コネクタに関し、特に、電気コネクタにおけるコンタクトを保持するためのアセンブリに関する。
【背景技術】
【０００２】
大電流を搬送する機能を有する電気コネクタは様々な用途で有用である。例えば、自動車では、このようなコネクタを配電センターにおいて使用し、コンポーネント同士間で電流を搬送したり、電気自動車又はハイブリッド自動車のバッテリパック、オルタネータ、インバータまたは電気モータなどの特定のコンポーネントに電流を伝送したりすることができる。
【発明の概要】
【発明が解決しようとする課題】
【０００３】
このようなシステムのコンポーネントとして、端子が延出した電力バスバーを含むことがある。これらコンポーネントは、通常、電力バスバーの端子と接続され且つコンポーネント同士間を通るワイヤの端部に対して終端させた個々のコネクタを有するワイヤハーネスを使用して相互接続される。しかし、個々のコネクタを個々の端子に結合させるには時間がかかる可能性がある。加えて、個々のコネクタをワイヤの端部に対して終端させるには時間とコストがかかる可能性がある。ワイヤハーネスを使用することに伴うこれらの問題を克服するために、コンポーネント同士間に電力コネクタを利用する少なくとも数個のシステムが知られており、これらのシステムでは、電力バスバーの端子が電力コネクタに差し込まれてコンポーネント同士間の電気接続を生じる。しかし、このようなシステムに不利益がないわけではない。例えば、電力コネクタを異なるコンポーネント同士間に接続しようとすると、２つのコンポーネントの端子同士間の角度的及び／位置的不一致によって、確実な電気接続を生じるプロセスを、困難で時間及び／コストのかかるものにしてしまいかねない。
【課題を解決するための手段】
【０００４】
その解決法は本書にて提供される、空洞と空洞内に延出するタブを有する電力コネクタによって提供される。電力コンタクトは積層状に空洞内に収容される。電力コンタクトは第１の端部と第２の端部を有する。電力コンタクトは、第１の端部に、内部に電力端子を収容するように構成された第１のレセプタクル部分と、第２の端部に、内部に電力端子を収容するように構成された第２のレセプタクル部分とを有する。電力コンタクトは開口を有し、タブがその開口に収容されて空洞内でコンタクトを位置決めする。
【０００５】
以下の添付の図面を参照して本発明の一例を記述する。
【図面の簡単な説明】
【０００６】
【図１】図１は一実施形態に従って形成された電力コネクタアセンブリを示す電力コネクタシステムを描いている。
【０００７】
【図２】図２は一実施形態に従う図１に示す電力コネクタアセンブリ内で使用される電力コンタクトの一つを描いている。
【０００８】
【図３】図３は一実施形態に従う電力コネクタのコンポーネントを示すよう電力コネクタが分解された状態の図１に示す電力コネクタアセンブリの正面を示す斜視図である。
【０００９】
【図４】図４は一実施形態に従う積層状態の電力コンタクトと結合する電力端子を有する電力コネクタの平面断面図である。
【００１０】
【図５】図５は一実施形態に従う電力コネクタスロットに挿入された電力端子の角度オフセットを描く、電力コネクタのカバーが取り除かれた状態の電力コネクタの側面図である。
【００１１】
【図６】図６は電力コネクタに挿入された電力端子の垂直方向オフセットと可変挿入深さを描く、カバーを取り外した状態の電力コネクタの側面断面図である。
【００１２】
【図７】図７は一実施形態に従う電力コネクタスロットに挿入された電力端子のねじり角度オフセットを描く、カバーを取り外した状態の電力コネクタの側面を示す斜視図である。
【００１３】
【図８】図８は一実施形態に従う図３に示す電力コネクタと使用するためのロケーターバネを描いている。
【００１４】
【図９】図９は一実施形態に従う図３に示す電力コネクタアセンブリ用の他の電力コネクタの分解図である。
【００１５】
【図１０】図１０は一実施形態に従う異なる方向に設置された電力端子を有する更に他の電力コネクタを描いている。
【００１６】
【図１１】図１１は図１０に示す電力コネクタの分解斜視図である。
【００１７】
【図１２】図１２は一実施形態に従って形成された電力コネクタアセンブリを示す他の電力コネクタシステムを描いている。
【００１８】
【図１３】図１３は図１２に示す電力コネクタアセンブリの分解図である。
【００１９】
【図１４】図１４は電力コネクタアセンブリの電力コンタクトと結合したケーブルアセンブリの電力端子を示すために電力コネクタアセンブリのハウジングの一部を取り除いた状態の電力コネクタアセンブリの部分断面図である。
【００２０】
【図１５】図１５はヘッダアセンブリと結合した図１２に示す電力コネクタアセンブリの横断面図である。
【発明を実施するための形態】
【００２１】
以下の詳細な記述では、本書の一部を形成し、本発明が実施される可能性のある特定の実施形態を一例として示す添付の図面が参照される。これらの実施形態は、本書では“実施例”とも呼ばれるが、当業者が本発明を実施するのに十分に詳細に記述されている。当然のことながら、これらの実施形態を組み合わせてもよく、他の実施形態を利用してもよく、本発明の範囲から逸脱することなく構造的、論理的、及び電気的変更を行ってもよい。従って、以下の詳細な記述は、制限的意味で捉えられるべきではなく、本発明の範囲は添付の請求項及びその等価物によって定義される。以下の記述では、類似の数字又は参照番号は本書を通して類似の部分又は要素を参照するのに使用される。本書において、“１つの（ａ）”又は“１つの（ａｎ）”という用語は、特許文書では一般的なことであるが、１又は１以上を含むように使用されている。本書では、“又は（ｏｒ）”という用語は、特に指示しない限り、非排他的な又は（ｏｒ）を示すために使用されている。
【００２２】
図１は、一実施形態に従って形成された電力コネクタシステム１００を描いている。電力コネクタ１００は、第１の電力デバイス１０４と第２の電力デバイス１０６を相互接続するために使用される電力コネクタアセンブリ１０２を含む。例示的実施形態では、電力コネクタアセンブリ１０２は第１の電力デバイス１０４と第２の電力デバイス１０６との間で高電圧及び大電流を伝導する機能を有する両端大電流コネクタアセンブリを構成する。
【００２３】
第１と第２の電力デバイス１０４と１０６は、任意の種類の電子デバイス又は電源デバイスであってもよい。ある特定の用途において、電力コネクタシステム１００は、電気自動車又はハイブリッド自動車において利用される。電力コネクタアセンブリ１０２は、第１の電力デバイス１０４で表されたインバータと、第２の電力デバイス１０６で表された電気モータとを相互接続するために利用される。電力コネクタアセンブリ１０２は、電気自動車又はハイブリッド自動車内のその他の種類のデバイスを相互接続するために利用されてもよい。電力コネクタアセンブリ１０２は、他の種類の車両、装置において、又は他の実施形態では他の用途において利用されてもよい。
【００２４】
第１の電力デバイス１０４は、電力バスバー１０８に結合された複数の電力端子１１０を含む。電力バスバー１０８内には電力端子１１０が幾つ設けられてもよい。例示的実施形態では、電力端子１１０はブレード端子である。電力端子１１０は、平面であって互いに平行に延出する互いに逆向きの両面１１２と１１４を有する。任意ではあるが、各電力端子１１０の側面１１２は同一平面上にあり、各電力端子１１０の側面１１４は同一平面上にある。電力端子１１０はハウジング１１６内に保持されてもよい。ハウジング１１６は、特定の実施形態又は用途によって、任意の形状又は大きさを有することができる。ハウジング１１６は電力コネクタアセンブリ１０２を少なくとも部分的に収容するような大きさ及び形状にしてもよい。
【００２５】
第２の電力デバイス１０６は電力バスバー１１８に結合された複数の電力端子１２０を含む。電力バスバー１１８内には電力端子１２０が幾つ設けられてもよい。例示的実施形態では、電力端子１２０はブレード端子である。電力端子１２０は、平面であって互いに平行に延出する互いに逆向きの両面１２２と１２４を有する。任意ではあるが、各電力端子１２０の側面１２２は同一平面上にあり、各電力端子１２０の側面１２４は同一平面上にある。電力端子１２０はハウジング１２６内に保持されてもよい。ハウジング１２６は、特定の実施形態又は用途によって、任意の形状又は大きさを有することができる。ハウジング１２６は電力コネクタアセンブリ１０２を少なくとも部分的に収容するような大きさ及び形状にしてもよい。
【００２６】
電力コネクタアセンブリ１０２は、第１の側面１３２と第２の側面１３４との間に延出するハウジング１３０を含む。ハウジング１３０は、第１と第２の側面１３２と１３４との間に延出る複数のチャンバ１３６を内部に含む。チャンバ１３６は、１つのチャンバを含め、幾つ設けられてもよい。
【００２７】
電力コネクタアセンブリ１０２は、対応するチャンバ１３６内に個別に保持された複数の電力コネクタ１４０を含む。任意ではあるが、電力コネクタ１４０は全て同一のものとして形成される。電力コネクタ１４０は、第１と第２の電力デバイス１０４と１０６の対応する電力端子１１０と１２０と電気的に接続されるように構成されている。電力コネクタ１４０は、第１と第２の電力デバイス１０４と１０６を電気的に接続する。例示的実施形態では、ハウジング１３０は、第１の側面１３２に、電力コネクタ１４０へのアクセスを提供するスロット１４２を、第２の側面１３４に、電力コネクタ１４０の反対側へのアクセスを提供する類似のスロット（図示せず）を含む。電力端子１１０は、電力コネクタ１４０と結合するために第１の側面１３２のスロット１４２を通って挿入される。電力端子１２０は、電力コネクタ１４０と結合するために第２の側面１３４のスロット１４２を通って挿入される。
【００２８】
各電力コネクタ１４０は、対応する電力端子１１０と電力端子１２０と係合するように構成された複数の電力コンタクト２００を含む。電力コンタクト２００は、電力端子１１０と１２０との間で高電圧及び大電流を伝達する。例示的実施形態では、各電力コンタクト２００は、電力端子１１０の両側面１１２,１１４と係合し、各電力コンタクト２００は、電力端子１２０の両側面１２２と１２４と係合する。
【００２９】
図２は、一実施形態に従う電力コネクタシステム１００内で使用される電力コンタクト２００のうちの一つを描いている。電力コンタクト２００は単一のワンピース構造を有するコンタクト本体２０２を含む。電力コンタクト２００は、第１の端部２０６と第２の端部２０８との間を延出し、それらの間に中間部分２０４を有する。任意ではあるが、電力コンタクト２００は、互いに同一である上部部分２０９と下部部分２１１を画定する電力コンタクト２００の長手軸２１０に関して対称でもよい。上部部分２０９と下部部分２１１はワンピースのコンタクト本体２０２の一部として互いに一体的に形成される。
【００３０】
コンタクト本体２０２は、第１の端部２０６に第１のレセプタクル部分２１２を含む。第１のレセプタクル部分２１２は、第１の端部２０６と中間部分２０４との間に延出する。第１のレセプタクル部分２１２は、対応する電力端子１１０（図１に示す）を内部に収容するように構成されている。第１のレセプタクル部分２１２は、上部アーム２１４と下部アーム２１６によって画定され、これらアームは間にギャップ２１８を有している。電力端子１１０は、上部アーム２１４と下部アーム２１６との間のギャップ２１８内に収容される。上部アーム２１４と下部アーム２１６は中間部分２０４から外側に向かって延出している。任意ではあるが、上部アーム２１４と下部アーム２１６は互いに向かって延出し、結合接点２２０に収束するようにしてもよい。結合接点２２０は、上部アーム２１４と下部アーム２１６の電力端子１１０と係合する部分である。上部アーム２１４と下部アーム２１６の先端部は、互いから離れるように結合接点２２０から外側に向かって拡開し、電力端子１１０を収容するための導入部分５０４を形成する。導入部分５０４は、電力端子１１０と結合するとき衝突するのを防止する。導入部分５０４は、結合接点２２０から外側に向かって拡開している上部アーム２１４と下部アーム２１６の先端部によって画定される。導入部分５０４は、長手軸２１０からの電力端子１１０の角度オフセットに対応する。
【００３１】
例示的実施形態では、上部アーム２１４と下部アーム２１６は電力端子１１０と結合したとき撓むように構成されたバネビームを構成する。上部アーム２１４と下部アーム２１６は、電力コンタクト２００と電力端子１１０との間の良好な電気接続を確実に行うために電力端子１１０の側面１１２と１１４（図１に示す）に対して付勢されたバネとしてもよい。
【００３２】
コンタクト本体２０２は、第２の端部２０８に第２のレセプタクル部分２２２を含む。第２のレセプタクル部分２２２は、第２の端部２０８と中間部分２０４との間に延出する。第２のレセプタクル部分２２２は、対応する電力端子１２０（図１に示す）を内部に収容するように構成されている。第２のレセプタクル部分２２２は、上部アーム２２４と下部アーム２２６によって画定され、これらのアームは間にギャップ２２８を有している。電力端子１２０は、上部アーム２２４と下部アーム２２６との間のギャップ２２８内に収容される。上部アーム２２４と下部アーム２２６は中間部分２０４から外側に向かって延出している。任意ではあるが、上部アーム２２４と下部アーム２２６は互いに向かって延出し、結合接点２３０に収束してもよい。結合接点２３０は、上部アーム２２４と下部アーム２２６の電力端子１２０と係合する部分である。上部アーム２２４と下部アーム２２６の先端部は、互いから離れるように結合接点２３０から外側に向かって拡開し、電力端子１１０[NTC1]と結合するとき衝突するのを防止する導入部分５０６を形成する。導入部分５０６は、結合接点２３０から外側に向かって拡開し、長手軸２１０から結合接点への電力端子１２０の角度オフセットに対応する。
【００３３】
例示的実施形態では、上部アーム２２４と下部アーム２２６は電力端子１２０と結合したとき撓むように構成されたバネビームを構成する。上部アーム２２４と下部アーム２２６は、電力コンタクト２００と電力端子１２０との間の良好な電気接続を確実に行うために電力端子１２０の側面１２２と１２４（図１に示す）に対して付勢されたバネであってもよい。
【００３４】
例示的実施形態では、中間部分２０４は、アーム２１４、２１６、２２４、２２６と共に、単一のコンタクト本体２０２の一体部を形成する。単一構造として形成されたコンタクト本体２０２を有することによって効率的に高電圧電力が電力コンタクト２００を通って伝達される。
【００３５】
結合接点２２０、２３０は、各アーム２１４、２１６、２２４、２２６と対応する電力端子１１０、１２０との間の１つの接触点を画定するように湾曲している。結合接点２２０、２３０の湾曲特性は、導入部分５０４、５０６と共に、対応するレセプタクル部分２１２、２２２内の電力端子１１０、１２０の角度オフセットを許容する。電力コンタクト２００の積層構造は、電力コンタクト２００が互いに対して可動であるため、電力端子１１０、１２０の角度オフセットを許容する。レセプタクル部分２１２、２２２は、電力端子１１０、１２０を内部に収容するように構成された叉状の接触部を含む。アーム２１４、２１６は第１のレセプタクル部分２１２の叉状接触部を画定し、アーム２２４、２２６は第２のレセプタクル部分２２２の叉状接触部を画定する。アーム２１４、２１６、２２４、２２６の拡開量は、レセプタクル部分２１２、２２２へのより大きな窓を画定するように制御されてもよく、それによってギャップ２１８、２２８に対する電力端子１１０、１２０のオフセットへの対応に寄与することもできる。この拡開によって、ギャップ２１８、２２８内への導入部が生じる。
【００３６】
コンタクト本体２０２は中間部分２０４に開口２４０を含む。例示的実施形態では、開口２４０は、コンタクト本体２０２の垂直方向中心線２４２からオフセットしている。開口２４０は、コンタクト軸２１０を横断する方向に細長くなっている。複数の電力コンタクト２００は互いに積み重ねて積層構造を形成し、幾つかの電力コンタクト２００は他の電力コンタクト２００に対して反転させてもよい。例えば、隣り合う電力コンタクト２００を反転させて、電力コンタクト２００が一つおきに１８０°回転させた状態になるようにしてもよい。開口２４０のオフセットによって、中心線２４２の両側に交互に開口２４０を配置させることによって、前記積層構造内において電力コンタクト２００がジグザグに配列された状態が生じる。図示の実施形態では、開口２４０がコンタクト本体２０２の全ての縁部から離れるようにして中間部分２０４に設けられている。開口２４０は、その上下が長手軸２１０に垂直な方向に細長い。開口２４０は楕円形である。他の実施形態ではその他の形状も可能である。加えて、他の実施形態では開口２４０は他の場所に位置決めされてもよい。例えば、開口２４０は、コンタクト本体２０２の縁部のうちの一つに沿って位置決めされてもよい。他の実施形態では、複数の開口２４０が設けられてもよい。開口２４０はコンタクト本体２０２の縁部に沿って設けられてもよい。或いは、開口２４０は中間部分２０４内に設けられてもよい。
【００３７】
電力コンタクト２００は、コスト効率の良いスタンピング加工を用いて製造されてもよい。例示的実施形態では、前記積層内の各電力コンタクト２００が互いに同一であり、それによって製造プロセスを簡易化してもよい。電力コンタクト２００はギャップ２１８と２２８を生じるようにスタンピングによって製造され、ギャップ２１８と２２８は、スタンピングプロセスによって厳密に制御することができる。また、アーム２１４、２１６、２２４、２２６は曲げ応力を生じることなく作製される。この低応力によって、電力コンタクト２００の製造において相対的に低コストの高導電性材料を使用することができるようになる。例えば、高導電材料としては、銅又は銅合金が挙げられる。或いは、電力コンタクト２００は、曲げ加工を含むその他の加工を用いて製造されてもよい。任意ではあるが、電力コンタクト２００は銀めっき等の導電性材料でめっきされてもよい。電力コンタクト２００は、結合接点２２０と２３０のみなど、選択的にめっきされてもよい。
【００３８】
図３は、一実施形態に従う電力コネクタ１４０のコンポーネントを見せるように電力コネクタ１４０のうちの一つを分解した状態の、電力コネクタアセンブリ１０２の正面の斜視図[NTC2]である。電力コネクタ１４０は、第１の端部３２４と第２の端部３２６を有するホルダ３０２を含む。ホルダ３０２は、電力コンタクト積層体３２２として積層構造の複数の電力コンタクト２００を保持する。電力コンタクト２００は、第１のレセプタクル部分２１２（図２に示す）を互いに対して整列させて同一の電力端子１１０（図１に示す）を収容し、第２のレセプタクル部分２２２を互いに対して整列させて同一の電力端子１２０（図１に示す）を収容するように、積層される。少なくとも数個の第１の端部２０６は他の第１の端部２０６からオフセットされ、少なくとも数個の第２の端部２０８はその他の第２の端部２０８からオフセットされる。
【００３９】
ホルダ３０２は、ツーピース構造であり、ベース３０４とカバー３０６を有する。電力コンタクト２００はベース３０４上に装着され、カバー３０６がベース３０４に取付けられて電力コンタクト積層体３２２を被覆する。カバー３０６はベース３０４から延出したラッチ３０８によってベース３０４に取付けられ、対応するロック機構（図示せず）がカバー３０６上に設けられる。
【００４０】
ホルダ３０２は、第１の端部３２４から第２の端部３２６へ延出するベース３０４とカバー３０６との間に空洞３１０を画定する。電力コンタクト積層体３２２は空洞３１０内に収容される。例示的実施形態では、ベース３０４は空洞３１０内に延出するタブ３１２を含む。電力コンタクト２００はタブ３１２上に装着される。図示の実施形態ではタブ３１２は円筒形である。電力コンタクト２００はタブ３１２上に装着され、コンタクト軸２１０を横断する方向にタブ３１２上で浮動することができる。例えば、電力コンタクト２００は、タブ３１２が細長い開口２４０内に収容されるようにベース３０４に結合されてもよい。電力コンタクト２００は、タブ３１２上を上下移動することが出来るようにしてもよい。例示的実施形態では、積層体３２２内の隣り合う電力コンタクト２００が互いに対して反転され（１８０°回転され）、タブ３１２上に装着される。開口３４０がオフセットされているため、電力コンタクト２００は積層体３２２内でジグザグ状に配列される。例えば、このジグザグ配列は長手方向又は垂直方向にすることが出来る。積層体３２２内の電力コンタクト２００の数を増減させて、電力コネクタ１４０の電流搬送能力を増減することができる。例えば、電力コネクタ１４０の電流搬送能力を増加するために、積層体３２２に更なる電力コンタクト２００を追加してもよい。逆に、電力コネクタ１４０の電流搬送能力を減少するために、いくつかの電力コンタクト２００を積層体３２２から取り去ってもよい。
【００４１】
図示の実施形態では、積層体３２２内に８つの電力コンタクト２００が設けられ、電力端子１１０と１２０（図１に示す）の各側面１１２、１１４、１２２、１２４上に８つの独立した接点を提供する。例示的実施形態では、積層状の電力コンタクトは、複数の接点を提供し、電力端子１１０と１２０の導電性と等しい又はそれ以上の導電性を有する。
【００４２】
ホルダ３０２は、電力コネクタ１４０の第１の端部３２４にスロット３１４を含む。また、ホルダ３０２は、電力コネクタ１４０の第２の端部３２６にスロット３１６を含む。電力コネクタの両側にあるスロット３１４、３１６は空洞３１０へのアクセスを提供する。スロット３１４、３１６は、電力コンタクト２００へのアクセスを提供する。電力端子１１０と１２０は、電力コンタクト２００と結合するために、夫々、スロット３１４、３１６に挿入される。任意ではあるが、スロット３１４、３１６は、電力端子１１０、１２０の大きさに対して大きめにし、電力コネクタ１４０に対して電力端子１１０，１２０のオフセットに対応させてもよい。例えば、スロット３１４、３１６が大きめの幅を有するようにし、電力端子１１０、１２０の左右方向オフセットに対応させてもよい。スロット３１４、３１６が大きめの高さを有するようにし、電力端子１１０、１２０の上下方向又は角度オフセットに対応させてもよい。
【００４３】
ホルダ３０２はカバー３０６及び／又はベース３０４の側面に沿ってロックフィンガー３１８を含む。ロックフィンガー３１８は電力コネクタアセンブリハウジング１３０内に電力コネクタ１４０を保持する。組立中、ホルダ３０２は、ベース３０４のタブ３１２上に積層体３２２を装着し、次にベース３０４及びカバー３０６を結合することによって組立てられる。次に、ホルダ３０２は、第２の端部１３４を介してハウジング１３０のチャンバ１３６内に装着される。ロックフィンガー３１８は、チャンバ１３６内で対応するロック機構（図示せず）と係合してチャンバ１３６内に電力コネクタ１４０を保持する。任意ではあるが、チャンバ１３６内で電力コネクタ１４０を案内するためにチャンバ１３６内にガイドレール３２０を設けてもよい。ジグザグ状に配列された電力コンタクト積層体３２２は電力端子１１０、１２０に対して低い連結力を必要とし、低い摩耗率と高い連結耐久性を有する。電力コンタクト積層体３２２は耐衝撃振動電力供給部を提供し、それにより、電力コネクタアセンブリ１０２は過酷な環境において動作できるようになる。
【００４４】
図４は、一実施形態に従う電力端子１１０、１２０が電力コンタクト２００の積層体３２２と結合した状態の電力コネクタ１４０の平面断面図である。電力コンタクト２００は、隣り合う電力コンタクト２００同士が長手方向にオフセット距離４０４だけオフセットするように、積層体３２２内にジグザグに配列されている。電力コンタクト２００をジグザグに配列させることによって、結合接点２２０、２３０（図２に示す）をジグザグに配列することによる全体的な嵌合力が減少し、従って、電力コンタクト２００と電力端子１１０，１２０との間の結合摩擦が減少する。
【００４５】
電力コンタクト２００は電力端子１１０、１２０の幅４０６と比較して狭い幅４１０を有する。積層体３２２は個々の電力コンタクト２００の幅４１０の合計に等しい積層幅４０８を有する。例示的実施形態では、積層幅４０８は、電力端子１１０、１２０の幅４０６未満である。このように、積層体３２２は、電力端子１１０、１２０の互いに対する相対的に大きな横方向オフセットに対応することが出来る。積層体３２２は、スロット３１４、３１６（図３に示す）内及びレセプタクル部分２１２、２２２（図２に示す）内の電力端子１１０、１２０の横方向（例えば、左右方向）移動に対応することが出来る。例えば、電力コネクタアセンブリ１０２（図１に示す）が第１及び／又は第２の電力デバイス１０４、１０６（図１に示す）に対してオフセットすると、電力端子１１０、１２０は、スロット３１４、３１６の片側又は他方の側に向かって移動させることが出来る。電力端子幅４０６と比較して相対的に狭い積層体幅４０８によって、積層体３２２が電力端子１１０、１２０と完全に電気的に接触することができるようにしたまま、電力端子１１０、１２０を積層体３２２に対して移動できるようになる。
【００４６】
図５は、カバー３０６（図３に示す）を取り外した状態の電力コネクタアセンブリ１０２の側面図である。図５は、パワーコネクタ１４０のスロット３１４、３１６に挿入された電力端子１１０、１２０の垂直方向角度オフセットを描いている。電力コンタクト２００は電力端子１１０、１２０の様々な角度オフセット５０２、５０８を許容するように構成されている。例えば、第１及び／又は第２の電力デバイス１０４、１０６（図１に示す）が電力コネクタアセンブリ１０２（図１に示す）と角度を付けて結合すると、電力コンタクト２００は、長手軸２１０から測定されるそのような電力端子１１０、１２０の角度オフセット５０２，５０８を許容する。
【００４７】
電力コンタクト２００は、第１と第２の端部２０６、２０８に、レセプタクル部分２１２、２２２内に電力端子１１０、１２０を進入させるための空間を提供する導入部分５０４、５０６を有する。導入部分５０４、５０６は、夫々結合接点２２０、２３０から外側に向かって拡開され、結合接点から遠位の長手軸２１０からの電力端子１１０、１２０の角度オフセット５０２、５０８を許容する。加えて、上部アーム２１４、２２４及び下部アーム２１６、２２６は、結合接点２２０、２３０で、反対のアームから離れる方向に角度を付けられ、アーム同士間のギャップ２１８、２２８をより大きくしている。大きなギャップ２１８、２２８は、更に、結合接点２２０、２３０に近位の長手軸２１０からの電力端子１１０、１２０の角度オフセット５０２、５０８を許容する。大きなギャップ２１８、２２８は、端子１１０、１２０に、導入部分５０４、５０６を介して結合接点２２０、２３０を介するギャップ２１８、２２８への屈曲した進路を提供することによって角度オフセット５０２、５０８を許容する。電力コンタクト２００は、電力コンタクト２００のビーム応力をほとんど変化させることなく大きな端子ブレードのピッチ傾きに耐える叉形状を有している。結合接点２２０、２３０の湾曲した形状は、電力端子１１０、１２０との電気的接触を維持しながら角度オフセット５０２、５０８を許容する。
【００４８】
図６は、カバー３０６（図３に示す）を取り外した状態の、電力コネクタ１４０の側面図である。図６は、電力コネクタ１４０に挿入された電力端子１１０、１２０の垂直方向オフセットと可変挿入深さ６０２、６０４を描いている。電力コンタクト２００は、電力端子１１０、１２０の可変挿入深さ６０２、６０４に対応するように構成されている。電力コンタクト２００は電力端子１１０、１２０の大きな垂直方向オフセット６０６（例えば上下方向）に耐えることが出来る。図６は、第１のスロット３１４の上部の電力端子１１０と第２のスロット３１６の底部の電力端子１２０を描いている。電力コンタクト２００は、電力コンタクト２００が空洞３１０内で回転可能にするタブ３１２を軸として枢動される。電力コンタクト２００が傾き及び角度オフセットに耐える能力、及び電力コンタクト２００がタブ３１２を中心に回転する能力によって、電力コネクタアセンブリ１０２は、電力端子１１０と１２０の相対的に大きな垂直方向オフセット６０６に耐えることができるようになる。
【００４９】
レセプタクル部分２１２，２２２は、雌型嵌合部を形成し、ギャップ２１８、２２８内に開口している。ギャップ２１８、２２８は結合接点２２０、２３０から中間部分２０４までに測定される長さ６０８、６１０を有する。ギャップ２１８、２２８の長さ６０８、６１０によって、電力コンタクト２００は、レセプタクル部分２１２、２２２内への電力端子１１０、１２０の挿入深さ６０４、６０２の大きな変化を許容することができる。このように、電力コンタクト２００が電力端子１１０、１２０と結合できるようにしたまま、第１と第２の電力デバイス１０４、１０６（図１に示す）に対する電力コネクタアセンブリ１０２の位置を変化させてもよい。
【００５０】
図７はカバー３０６（図３に示す）を取り外した状態の電力コネクタアセンブリ１０２の側面斜視図である。図７は電力コネクタ１４０のベース３０４に挿入された電力端子１１０と１２０の更に他の角度オフセットを描いている。図７は電力端子１１０と１２０のブレードねじれ傾きを描いており、電力端子１１０と１２０はスロット３１４と３１６（図３に示す）の中心平面７０４に対するねじれ角７０２に屈曲されている。電力コンタクト２００は、電力端子１１０と１２０のブレードねじれを許容するように電力コンタクト２００を空洞３１０内で回転可能にするタブ３１２を中心に枢動されている。例示的実施形態では、開口２４０は楕円形であり、積層体３２２の各電力コンタクト２００がタブ３１２を中心に個別に回転し且つタブ３１２上を横方向に移動できるようにする。電力コンタクト２００の回転能力によって、電力コンタクト積層体３２２が大きなブレードねじれ傾きに耐えられるようになる。開口２４０を細長くすることによって、電力コンタクト２００がタブ３１２上を上下に浮動できるようになる。電力コンタクト２００の幾つかを空洞３１０内を上方に移動させる一方、電力コンタクト２００の幾つかを空洞３１０内を下方に移動させてブレードねじれを許容してもよい。
【００５１】
図８はカバー３０６（図３に示す）を取り外した状態の電力コネクタ１４０の側面を示す斜視図である。図８は空洞３１０内に装着されたロケーターバネ８０２を描いている。一実施形態では、ロケーターバネ８０２の端部を折り曲げてフィンガー８０４を形成している。フィンガー８０４は、例えば結合接点２２０と２３０付近で、電力コンタクト積層体３２２の電力コンタクト２００と係合する。ロケーターバネ８０２は電力コンタクト２００と係合して空洞３１０内で電力コンタクト２００を中立位置に保持する。電力コンタクト２００が中立位置から移動すると、例えば、電力端子１１０、１２０（図１に示す）がオフセット位置で（例えば、垂直方向オフセット、角度オフセット、ねじれオフセットなど）電力コネクタ１４０内に装着されると、ロケーターバネ８０２は電力コンタクト２００を中立位置に向かって押圧しやすくなっている。ロケーターバネ８０２によって、電力コンタクト積層体３２２は電力端子１１０、１２０の挿入前に中心に配置させた状態を維持することができる。例示的実施形態では、ロケーターバネ８０２は、低曲げ剛性及び引張剛性を有して、電力コネクタ１４０が電力端子１１０、１２０の傾き及び／又はオフセットを許容することができるようにしてもよい。
【００５２】
図９は電力コネクタアセンブリ１０２用の一実施形態に従って形成された他の電力コネクタ９００の分解図である。電力コネクタ９００は電力コネクタ１４０（図１に示す）の代わりに使用することができる。電力コネクタ９００は、第１の端部９２２と第２の端部９２４を有するホルダ９０２を含む。ホルダ９０２は電力コンタクト積層体９２０として積層構造された状態の複数の電力コンタクト９２６を含む。ホルダ９０２は、ツーピース構造であり、ベース９０４とカバー９０６を有する。電力コンタクト９２６はベース９０４上に装着され、カバー９０６はベース９０４に取付けられて電力コンタクト積層体９２０を被覆する。カバー９０６は、ベース９０４から延出したラッチ９０８とカバー９０６上の対応するロック機構９１０（例えばキャッチ）を使用してベース９０４に取付けられる。
【００５３】
ホルダ９０２は、ベース９０４とカバー９０６との間に空洞９１２を画定する。電力コンタクト積層体９２０は空洞９１２内に収容される。例示的実施形態では、ベース９０４は空洞９１２内に延出するタブ９１４を含む。電力コンタクト９２６はタブ９１４上に装着される。例えば、電力コンタクト９２６は、タブ９１４が電力コンタクト９２６の開口９５６に収容されるように、ベース９０４に結合させてもよい。他の実施形態では、開口９５６はオフセットしていてもよく、積層体９２０内の隣り合う電力コンタクト９２６を互いに対して反転させ（１８０°回転させ）、タブ９１４上に装着する。このオフセットと、交互に電力コンタクト９２６を反転させることによって、電力コンタクト９２６が積層体９２０内にジグザグ状に配列させることができるようになる。積層体９２０における電力コンタクト９２６の数を増減して電力コネクタの電流搬送能力を増減させることができる。
【００５４】
ホルダ９０２は、電力コネクタ９００の第１の端部９２２にスロット９１６を含む。ホルダ９０２は、電力コネクタ９００の第２の端部９２４にもスロット９１８を含む。電力コネクタの両端のスロット９１６、９１８は空洞９１２へのアクセスを提供する。スロット９１６、９１８は、電力コンタクト９２６へのアクセスを提供する。電力端子１１０、１２０（図１に示す）は、電力コンタクト９２６と結合するために、夫々、スロット９１６、９１８に挿入される。
【００５５】
電力コンタクト９２６は単一のワンピース構造体である。電力コンタクト９２６は、第１の端部９３０と第２の端部９３２との間に延出し、それら端部同士間に中間部分９２８を有している。任意ではあるが、電力コンタクト９２６は、互いに同一である上部部分と下部部分を画定する電力コンタクト９２６の長手軸９３４に関して対称でもよい。
【００５６】
電力コンタクト９２６は第１の端部９３０に第１のレセプタクル部分９３６を含む。第１のレセプタクル部分９３６は第１の端部９３０と中間部分９２８との間に延出している。第１のレセプタクル部分９３６は内部に対応する電力端子１１０を収容するように構成されている。第１のレセプタクル部分９３６は上部アーム９３８と下部アーム９４０によって画定され、それらアーム同士間にギャップ９４２を有している。電力端子１１０は上部アーム９３８と下部アーム９４０との間のギャップ９４２に収容される。上部アーム９３８と下部アーム９４０は中間部分９２８から外側に向かって延出している。任意ではあるが、上部アーム９３８と下部アーム９４０は互いに向かって延出し、結合接点９４４に収束するようにしてもよい。結合接点９４４は上部アーム９３８と下部アーム９４０の電力端子１１０と係合する部分である。上部アーム９３８と下部アーム９４０の先端部は互いから離れるように結合接点９４４から外側に向かって拡開し、電力端子１１０と結合するときに衝突するのを防止する導入部分を画定するようにしてもよい。導入部分は結合接点９４４から外側に向かって拡開し、長手軸９３４から結合接点までの電力端子１１０の角度オフセットを許容する。
【００５７】
例示的実施形態では、上部アーム９３８と下部アーム９４０は電力端子１１０と係合すると撓むように構成されたバネビームを構成する。上部アーム９３８と下部アーム９４０は、電力コンタクト９２６と電力端子１１０との間で良好な電気的接続を確実に行うように電力端子１１０の側面１１２と１１４（図１に示す）に対して付勢されたバネとしてもよい。
【００５８】
電力コンタクト９２６は第２の端部９３２に第２のレセプタクル部分９４６を含む。第２のレセプタクル部分９４６は第２の端部９３２と中間部分９２８との間に延出している。第２のレセプタクル部分９４６は内部に対応する電力端子１２０を収容するように構成されている。第２のレセプタクル部分９４６は上部アーム９４８と下部アーム９５０によって画定され、それらのアーム同士間にギャップ９５２を有している。電力端子１２０は上部アーム９４８と下部アーム９５０との間のギャップ９５２に収容される。上部アーム９４８と下部アーム９５０は中間部分９２８から外側に向かって延出している。任意ではあるが、上部アーム９４８と下部アーム９５０は互いに向かって延出し、結合接点９５４に収束するようにしてもよい。結合接点９５４は上部アーム９４８と下部アーム９５０の電力端子１２０と係合する部分である。上部アーム９４８と下部アーム９５０の先端部は互いから離れるように結合接点９５４から外側に向かって拡開し、電力端子１１０[NTC3]と結合するときに衝突するのを防止する導入部分を画定するようにしてもよい。導入部分は結合接点９５４から外側に向かって拡開し、長手軸９３４から結合接点までの電力端子１２０の角度オフセットに対応する。
【００５９】
例示的実施形態では、上部アーム９４８と下部アーム９５０は電力端子１２０と係合すると撓むように構成されたバネビームを構成する。上部アーム９４８と下部アーム９５０は、電力コンタクト９２６と電力端子１２０との間で良好な電気的接続を確実に行うように電力端子１２０の側面１２２と１２４（図１に示す）に対して付勢されたバネとしてもよい。
【００６０】
例示的実施形態では、中間部分９２８及びアーム９３８、９４０、９４８、９５０は、単一の電力コンタクト９２６の一体部である。単一構造として形成された電力コンタクト９２６を有することによって効率的に高電圧電力が電力コンタクト９２６を通って伝達される。
【００６１】
結合接点９４４、９５４は各アーム９３８、９４０、９４８、９５０と対応する電力端子１１０、１２０との間に１つの接点を画定するように湾曲している。結合接点９４４と９５４の湾曲特性は対応するレセプタクル部分９３６又は９４６内の電力端子１１０、１２０の角度オフセットを許容する。アーム９３８、９４０、９４８、９５０の拡開量は、レセプタクル９３６、９４６へのより大きな窓を画定するように制御されてもよく、それによってギャップ９４２、９５２に対する電力端子１１０、１２０のオフセットの許容に寄与することもできる。この拡開によって、ギャップ９４２、９５２内への導入部が生じる。
【００６２】
電力コンタクト９２６は中間部分９２８の縁部に開口９５６を含む。任意ではあるが、開口９５６は、電力コンタクト９２６の中心線９５８からオフセットしていてもよい。複数の電力コンタクト９２６が積層構造に共に積層される際、隣接する電力コンタクト９２６は互いに反転されてもよい。開口９５６のオフセットによって、中心線９５８の両側に交互に開口９５６を移動させることによって積層構造内の電力コンタクト９２６がジグザグに配列された状態が生じる。図示の実施形態では、開口９５６は、ギャップ９４２、９５２の近位端に、例えば中間部分９２８の個所に設けられている。
【００６３】
図１０は電力コネクタアセンブリ１０２用の一実施形態に従って形成された更に他の電力コネクタ１０００を描いている。電力コネクタ１０００は電力コネクタ１４０（図１に示す）代わりに使用することができる。電力コネクタ１０００は第１の端部１０２２と第２の端部１０２４を有するホルダ１００２を含む。ホルダ１００２は積層状の複数の電力コンタクト１１０２（図１１に示す）を保持する。ホルダ１００２はツーピース構造であり、ベース１００４とカバー１００６を有する。電力コンタクト１１０２はベース１００４上に装着され、カバー１００６はベース１００４に取付けられて電力コンタクト積層体を被覆する。カバー１００６は、ラッチ１００８と対応するキャッチ１０１０を使用してベース１００４に取付けられる。
【００６４】
ホルダ１００２は第１の端部１０２２から第２の端部１０２４まで延出するベース１００４とカバー１００６との間に空洞１０１２を画定する。組み立てられると、ホルダ１００２は電力コネクタ１０００の第１の端部１０２２にスロット１０１４を含む。組み立てられると、ホルダ１００２は電力コネクタ１０００の第２の端部１０２４にもスロット１０１６を含む。電力コネクタ１０００の両端のスロット１０１４、１０１６は空洞１０１２へのアクセスを提供する。スロット１０１４、１０１６は電力コンタクト１１０２へのアクセスを提供する。電力端子１０１８、１０２０は電力コンタクト（図示せず）と結合するために、夫々、スロット１０１４、１０１６に挿入される。任意ではあるが、スロット１０１４、１０１６を電力端子１０１８、１０２０の大きさに対して大きめにし、電力コネクタ１０００に対する電力端子１０１８、１０２０のオフセットを許容するようにしてもよい。
【００６５】
例示的実施形態では、電力コネクタ１０００のスロット１０１４は開口した側面１０２６、１０２８を有する。開口側面１０２６、１０２８によって電力コネクタ１０００が異なる角度又は方向から電力端子１０１８を収容することができるようになる。例えば、電力端子１０１８は長手軸１０３０に垂直なスロット１０１４に挿入させてもよい。或いは、電力端子１０１８は、長手軸１０３０に平行なスロット１０１４に挿入させてもよい。例示的実施形態では、スロット１０１６は開口した側面１０３２、１０３４を有する。開口側面１０３２、１０３４によって電力端子１０２０を異なる方向からスロット１０１６に収容することができるようになる。例えば、電力端子１０２０は、長手軸１０３０に平行なスロット１０１６に挿入させてもよい。或いは、電力端子１０２０は長手軸１０３０に垂直なスロット１０１６に挿入させてもよい。
【００６６】
図１１は電力コネクタ１０００の分解斜視図である。電力コネクタ１０００内には電力コンタクト１１０２が保持される。各電力コンタクト１１０２は、単一のワンピース構造を有し、第１の端部１１０６と第２の端部１１０８との間の間に延出し、それらの端部同士間に中間部分１１０４を有している。任意ではあるが、電力コンタクト１１０２は、互いに同一である上部部分と下部部分を画定する長手軸１１１０に関して対称となるようにしてもよい。
【００６７】
電力コンタクト１１０２は第１の端部１１０６に第１のレセプタクル部分１１１２を含む。第１のレセプタクル部分１１１２は第１の端部１１０６と中間部分１１０４との間に延出している。第１のレセプタクル部分１１１２は内部に対応する電力端子１０１８（図１０に示す）を収容するように構成されている。第１のレセプタクル部分１１１２は上部アーム１１１４と下部アーム１１１６によって画定され、これらのアーム同士間にギャップ１１１８を有している。電力端子１０１８は上部アーム１１１４と下部アーム１１１６との間のギャップ１１１８に収容される。結合接点１１２０は、上部アーム１１１４と下部アーム１１１６の電力端子１０１８と係合する部分である。上部アーム１１１４と下部アーム１１１６の先端部は互いに向かって収束し且つ結合接点１１２０を画定する突起を含む。これらの突起は、電力端子１０１８と結合するとき衝突するのを防止する導入部分を画定するように湾曲している。
【００６８】
例示的実施形態では、上部アーム１１１４と下部アーム１１１６は電力端子１０１８と係合すると撓むように構成されたバネビームを構成する。上部アーム１１１４と下部アーム１１１６は電力コンタクト１１０２と電力端子１０１８との間の良好な電気接続を確実に行うために電力端子１０１８の側面１０３６、１０３８（図１０に示す）に対して付勢されたバネとしてもよい。
【００６９】
電力コンタクト１１０２は第２の端部１１０８に第２のレセプタクル部分１１２２を含む。第２のレセプタクル部分１１２２は第２の端部１１０８と中間部分１１０４との間に延出している。第２のレセプタクル部分１１２２は内部に対応する電力端子１０２０（図１０に示す）を収容するように構成されている。第２のレセプタクル部分１１２２は上部アーム１１２４と下部アーム１１２６によって画定され、これらのアーム同士間にギャップ１１２８を有している。電力端子１０２０は上部と下部アーム１１２４、１１２６との間のギャップ１１２８に収容される。上部アーム１１２４と下部アーム１１２６は中間部分１１０４から外側に向かって延出している。任意ではあるが、上部アーム１１２４と下部アーム１１２６は、互いに向かって延出し、結合接点１１３０に収束するようにしてもよい。結合接点１１３０は、上部アーム１１２４と下部アーム１１２６の電力端子１０２０と係合する部分である。上部アーム１１２４と下部アーム１１２６の先端部は互いに向かって収束して結合接点１１３０を形成する突起を含む。これらの突起は、電力端子１０２０と結合するとき衝突するのを防止する導入部分を画定するように湾曲している。
【００７０】
例示的実施形態では、上部アーム１１２４と下部アーム１１２６は電力端子１０２０と係合すると撓むように構成されたバネビームを構成する。上部アーム１１２４と下部アーム１１２６は電力コンタクト１１０２と電力端子１０２０との間の良好な電気接続を確実に行うために電力端子１０２０の側面に対して付勢されたバネとしてもよい。
【００７１】
例示的実施形態では、中間部分１１０４は、アーム１１１４、１１１６、１１２４、１１２６と共に、単一の電力コンタクト本体１１０２の一体部を形成する。単一構造として形成された電力コンタクト１１０２を有することによって効率的に高電圧電力が電力コンタクト１１０２を通って伝達される。
【００７２】
結合接点１１２０と１１３０は、各アーム１１１４、１１１６、１１２４、１１２６と対応する電力端子１０１８、１０２０との間の１つの接触点を画定するように湾曲している。結合接点１１２０、１１３０の湾曲特性は対応するレセプタクル部分１１１２、１１２２内の電力端子１０１８、１０２０の角度オフセットを許容する。
【００７３】
電力コンタクト１１０２は中間部分１１０４の上縁部と底縁部に沿って開口１１３４を含む。例示的実施形態では、開口１１３４は電力コンタクト１１０２の中心線１１３６からオフセットしている。複数の電力コンタクト１１０２を積層状に積み重ねた場合、隣り合う電力コンタクト１１０２は互いに対して反転させるようにしてもよい。開口１１３４のオフセットによって、中心線１１３６の両側に交互に開口１１３４を配置させることによって、積層構造内で電力コンタクト１１０２がジグザグ状に配列された状態が生じる。
【００７４】
例示的実施形態では、ホルダ１００２はベース１００４とカバー１００６から空洞１０１２内へ延出したタブ１１４０を含む。電力コンタクト１１０２はタブ１１４０が開口１１３４に収容されるように空洞１０１２内に装着される。例示的実施形態では、積層体１１３８内の隣り合う電力コンタクト１１０２を互いに対して反転させ（１８０°回転させ）、タブ１１４０上に装着する。開口１１３４がオフセットしているため、電力コンタクト１１０２は積層体内でジグザグ状に配列される。積層体１１３８内の電力コンタクト１１０２の数を増減させて、電力コネクタの電流搬送能力を増減することができる。
【００７５】
図１２は一実施形態に従う他の電力コネクタシステム１２００を描いている。電力コネクタシステム１２００は電力コネクタアセンブリ１２０２と、ケーブルアセンブリ１２０４としての第１の電力デバイスと、ヘッダアセンブリ１２０６としての第２の電力デバイスとを含む。ケーブルアセンブリ１２０４はケーブル１２１２の端部に対して終端した電力端子１２１０を含む。電力端子１２１０は、実施形態によっては電力バスバーの一部として互いにバス接続させてもよい。ケーブルブロック１２１４はケーブル１２１２を保持する。ヘッダアセンブリ１２０６は、ヘッダハウジング１２２２によって保持された電力端子１２２０を含む。電力端子１２１０は、実施形態によっては電力バスバーの一部として互いにバス接続させてもよい。ヘッダアセンブリ１２０６は車両の配電モジュール上に取付けられてもよい。
【００７６】
電力コネクタアセンブリ１２０２はケーブルアセンブリ１２０４とヘッダアセンブリ１２０６を相互接続する。図示の実施形態では、電力コネクタアセンブリ１２０２は直角のプラグを構成する。他の実施形態では電力コネクタアセンブリ１２０２が他の形状を有していてもよい。例示的実施形態では、電力コネクタアセンブリ１２０２はケーブルアセンブリ１２０４とヘッダアセンブリ１２０６との間で高電圧及び大電流を伝導する機能を有する両端大電流コネクタアセンブリを構成する。電力コネクタアセンブリ１２０２は電力端子１２１０及び／又は電力端子１２２０の角度及び／又は位置ずれを許容する。電力コネクタアセンブリ１２０２によってコネクタ内の直角方向への方向転換が可能になる。第２の電力デバイスは配電モジュール上に取付けられたヘッダコネクタとしてもよい。ヘッダは１つ以上の電力端子を含む…。
【００７７】
電力コネクタアセンブリ１２０２は電力コネクタ１２４０を保持するハウジング１２３０を含む。ハウジング１２３０は第１の側面１２３２と第２の側面１２３４との間に延出している。第１と第２の側面１２３２、１２３４は互いに対して直角を向くように配置されている。ハウジング１２３０は電力コネクタ１２４０を収容するチャンバ１２３６を含む。他の実施形態では、ハウジング１２３０は対応する電力コネクタ１２４０を収容する複数のチャンバ１２３６を内部に含んでもよい。
【００７８】
図１３は電力コネクタアセンブリ１２０２の分解図である。電力コネクタアセンブリ１２０２はハウジング１２３０内に保持された電力コネクタ１２４０を含む。
【００７９】
電力コネクタ１２４０は複数のサブコネクタ１３０２、１３０４を含む。各サブコネクタ１３０２、１３０４は電力コンタクト積層体１３０６を保持する。電力コンタクト積層体１３０６は複数の電力コンタクト１３０８を含む。各サブコネクタ１３０２、１３０４は電力コンタクト１３０８と結合する１つの電力端子１２１０（図１２に示す）と１つの電力端子１２２０（図１２に示す）を内部に収容することができる。
【００８０】
電力コンタクト１３０８は上述した電力コンタクトと類似である。電力コンタクト１３０８は第１と第２の端部１３１０、１３１２との間に伸び、第１と第２のレセプタクル部分１３１４、１３１６を有する。電力コンタクト１３０８は開口１３１８を含む。
【００８１】
電力コネクタ１２４０は異なる電力コンタクト積層体１３０６に電力コンタクト１３０８の群を保持するホルダ１４００を含む。電力コネクタ１２４０は、ホルダ１４００を保持するハウジング１４０２と、ハウジング１４０２及び／又はホルダ１４００の一部を包囲するシールド１４０４とを含む。シールド１４０４は電力コンタクト１３０８の周囲を電気的に遮蔽する。シールド１４０４は電力コンタクト１３０８と電気的に絶縁している。
【００８２】
電力コンタクト積層体１３０６は上述と同様の方法で組み立てられる。電力コンタクト１３０８は、ホルダ１４００の空洞１４１４内で対応するタブ１４１２上に装着される。開口１３１８はタブ１４１２上に装着される。開口１３１８は細長くなっており、電力コンタクト１３０８が空洞１４１４内で浮動できるようにしている。図示の実施形態では、ホルダ１４００は２つの空洞１４１４を含み、各空洞１４１４が、電力コンタクト１３０８の異なる積層体１３０６を収容するタブ１４１２を有する。空洞１４１４は幾つ設けられてもよい。電力コンタクト１３０８は、電力コンタクト１３０８が端子１２１０、１２２０のオフセット（例えば垂直方向オフセット、角度オフセット、ブレードねじれ等）を許容できるように、ホルダ１４００によって回転可能に保持されてもよい。電力コンタクト１３０８を回転させ、ねじり、又は傾かせて、電力端子１２１０、１２２０の角度又は位置オフセットを許容してもよい。
【００８３】
電力コンタクト１３０８は、そのアーム１４２２から、アーム１４２２同士間に画定されたギャップすなわちレセプタクル１４２４内に延出した突起１４２０を有する。突起１４２０は、電力端子１２１０と１２２０と係合するための結合接点１４２６を画定する。図示の実施形態では、電力コンタクト１３０８の一方の端部の突起１４２０には電力コンタクト１３０８の先端部から内側に向かって段差が設けられているが、電力コンタクト１３０８の反対側の端部の突起１４２０はほぼ先端に設けられ、内側に段差は設けられていない。例示的な実施形態では、幾つかの電力コンタクト１３０８、例えば隣り合う電力コンタクト１３０８が、ジグザグ状に配列された、電力端子１２１０及び／又は１２２０とのシーケンシャル結合を画定する結合接点１４２６を有するように、電力コンタクト１３０８は反転位置で（例えば１８０°回転させて）ホルダ１４００内に装着される。
【００８４】
図１４は、ハウジング１２３０の一部を取り除いて電力コンタクト１３０８と結合した電力端子１２１０を示す、電力コネクタアセンブリ１２０２の断面図である。図１５はヘッダアセンブリ１２０６と結合した電力コネクタアセンブリ１２０２の横断面図である。図１５は電力コンタクト１３０８と希有号した電力端子１２２０を描いている。
【００８５】
当然のことながら、上記の記述は、実例を示すことを意図しており、制限するものではない。例えば、上記の実施形態（及び／又はそれらの態様）は、互いに組み合わせて用いてもよい。加えて、特定の状況や材料を本発明の範囲から逸脱することなく本発明の教示に適応させるように、多くの修正を行ってもよい。本書に記載された寸法、材料の種類、様々なコンポーネントの方位、及び様々なコンポーネントの数及び位置は、特定の実施形態のパラメータを定義することを意図しており、決して制限的なものではなく、例示的な実施形態に過ぎない。本発明の精神及び特許請求の範囲内の多くのその他の実施形態及び変形は、上記の記述を検討することによって当業者には明らかになる。本発明の範囲は、従って、添付の請求項とともにそれら請求項に認められた等価物の全範囲を参照して決定されるべきである。添付の請求項では、“含む（ｉｎｃｌｕｄｉｎｇ）”及び“において（ｉｎ  ｗｈｉｃｈ）”という用語は、夫々、“含む（ｃｏｍｐｒｉｓｉｎｇ）”及び“において（ｗｈｅｒｅｉｎ）”という用語に相当する平易な英語として使用される。更に、以下の請求項において、“第１”、“第２”及び“第３”等の用語は、単に符号として使用されており、それらの物体に数に関する要求を課すことを意図していない。更に、以下の請求項の制限事項は、ミーンズ・プラス・ファンクション形式では書かれておらず、これらの請求項の制限事項が“ための手段（ｍｅａｎｓ  ｆｏｒ）”というフレーズを明示的に使用しそのフレーズに続けて更なる構造を有さない機能を記載しない限り、３５Ｕ．Ｓ．Ｃ．§１１２第６項に基づいて解釈されることを意図しない。
【図１】
2014503961.tif 000003
【図２】
2014503961.tif 000004
【図３】
2014503961.tif 000005
【図４】
2014503961.tif 000006
【図５】
2014503961.tif 000007
【図６】
2014503961.tif 000008
【図７】
2014503961.tif 000009
【図８】
2014503961.tif 000010
【図９】
2014503961.tif 000011
【図１０】
2014503961.tif 000012
【図１１】
2014503961.tif 000013
【図１２】
2014503961.tif 000014
【図１３】
2014503961.tif 000015
【図１４】
2014503961.tif 000016
【図１５】
2014503961.tif 000017
【国際調査報告】
2014503961.tif 000018
2014503961.tif 000019
2014503961.tif 000020